【手続補正書】
【提出日】平成28年12月21日(2016.12.21)
【手続補正１】
【補正対象書類名】特許請求の範囲
【補正対象項目名】全文
【補正方法】変更
【補正の内容】
【特許請求の範囲】
【請求項１】
媒体デバイスが、前記媒体デバイスと、前記媒体デバイスの所定の範囲内において検出されるモバイルデバイスとの間の第１の通信セッションを行うことであって、前記第１の通信セッションは、
前記媒体デバイスが、前記モバイルデバイスに承認コードを要求することであって、前記承認コードは、ユーザ有効性確認プロセスにおいて前記モバイルデバイスのユーザ証明に基づいて、プロバイダ承認サービスによって前記モバイルデバイスに対して提供される、要求することと、コンテンツサーバから認証を取得することと、
前記媒体デバイスが、前記モバイルデバイスから前記承認コードを受信することとを含み、前記モバイルデバイスが、前記コンテンツサーバから前記認証を取得するための仲介としての役割を果たし、前記コンテンツサーバは、映像コンテンツ及び音声コンテンツのうちの少なくとも一方を含むコンテンツのサービスを提供するように構成され、前記媒体デバイスは、提供されるサービスに係る前記コンテンツを利用するように構成され、前記モバイルデバイスと前記媒体デバイスとは、通信ネットワークにおけるエンドユーザデバイスである、第１の通信セッションを行うことと、
前記媒体デバイスが、前記コンテンツサーバのプロバイダ承認サービスと第２の通信セッションを開始することであって、前記第２の通信セッションは、前記媒体デバイスが、前記承認コードを用いて前記プロバイダ承認サービスからトークンを取得することを含む、第２の通信セッションを開始することと、
前記媒体デバイスが、前記コンテンツサーバと第３の通信セッションを開始することであって、前記第３の通信セッションは、前記トークンを利用して、前記媒体デバイスが、前記コンテンツサーバからコンテンツを取得することを含む、第３の通信セッションを開始することと、
前記媒体デバイスが、前記トークンの期限が切れたと決定することと、
前記媒体デバイスが、前記第３の通信セッションがアクティブである間に前記トークンの期限が切れた場合に、前記トークンの期限切れに応答して前記トークンを更新することを自動的に試みることと、
前記トークンの期限が切れ、前記第３の通信セッションがもはやアクティブではなくなっている場合、前記トークンは期限が切れたままであり、前記媒体デバイスは、そのトークンを、前記コンテンツサーバからコンテンツを取得するために将来の通信セッション中に用いることができず、前記トークンへのアクセスは、前記モバイルデバイスがオフラインである場合、自動的に終了され、該終了することは、前記媒体デバイスが、前記モバイルデバイスがもはや前記媒体デバイスの前記所定の範囲内において検出されない場合、または、前記モバイルデバイスと前記媒体デバイスとの間の接続が終了された場合、前記トークンへのアクセスを自動的に終了することを含むことと、
前記媒体デバイスが、前記トークンを更新することの試みを何回か失敗した後、前記第３の通信セッションを自動的に終了することと、を含む、方法。
【請求項２】
前記媒体デバイスは、グラフィカルユーザインターフェース表示領域がない、請求項１に記載の方法。
【請求項３】
前記媒体デバイスが、前記トークンの前記期限切れに応答して前記第３の通信セッションを終了することをさらに含む、請求項１または２に記載の方法。
【請求項４】
前記媒体デバイスへのユーザ入力なしに前記終了することが実施される、請求項３に記載の方法。
【請求項５】
前記モバイルデバイスが、前記プロバイダ承認サービスに前記承認コードを要求することをさらに含む、請求項１〜４のいずれかに記載の方法。
【請求項６】
前記媒体デバイス上で、前記コンテンツサーバによって提供されたコンテンツを提示するアプリケーションを実行することと、
前記アプリケーションを実行する間、前記媒体デバイスが、前記モバイルデバイスにメッセージを送信することと、をさらに含む、請求項１〜５のいずれかに記載の方法。
【請求項７】
前記コンテンツサーバは、音声サービスおよび視覚サービスのうちの少なくとも１つを提供するリモートサーバである、請求項１〜６のいずれかに記載の方法。
【請求項８】
前記媒体デバイスが、前記承認コードおよびクライアント識別子を用いて前記プロバイダ承認サービスから前記トークンを取得する、請求項１〜７のいずれかに記載の方法。
【請求項９】
前記媒体デバイスが、前記トークンを有する映像データ要求を前記コンテンツサーバに送信することをさらに含む、請求項１〜８のいずれかに記載の方法。
【請求項１０】
媒体デバイスを含むシステムであって、
少なくとも１つのプロセッサと、
前記少なくとも１つのプロセッサによって実行されるとき、前記システムに、
前記媒体デバイスが、前記媒体デバイスの所定の範囲内において検出されるモバイルデバイスと第１の通信セッションを行うことであって、前記第１の通信セッションは、
前記媒体デバイスが、前記モバイルデバイスに承認コードを要求することであって、前記承認コードは、ユーザ有効性確認プロセスにおいて前記モバイルデバイスのユーザ証明に基づいて、プロバイダ承認サービスによって前記モバイルデバイスに対して提供される、要求することと、
前記媒体デバイスが、前記モバイルデバイスから前記承認コードを受信することとを含む、第１の通信セッションを行うことと、
前記媒体デバイスが、コンテンツサーバのプロバイダ承認サービスと第２の通信セッションを開始することであって、前記第２の通信セッションは、前記媒体デバイスが、前記承認コードを用いて前記プロバイダ承認サービスからトークンを取得することを含み、前記コンテンツサーバは、映像コンテンツ及び音声コンテンツのうちの少なくとも一方を含むコンテンツのサービスを提供するように構成され、前記媒体デバイスは、提供されるサービスに係る前記コンテンツを利用するように構成され、前記モバイルデバイスと前記媒体デバイスとは、通信ネットワークにおけるエンドユーザデバイスである、第２の通信セッションを開始することと、
前記媒体デバイスが、前記コンテンツサーバと第３の通信セッションを開始することであって、前記第３の通信セッションは、前記トークンを利用して、前記媒体デバイスが、前記コンテンツサーバからコンテンツを取得することを含む、第３の通信セッションを開始することと、
前記媒体デバイスが、前記トークンの期限が切れたと決定することと、
前記媒体デバイスが、前記第３の通信セッションがアクティブである間に前記トークンの期限が切れた場合に、前記トークンの期限切れに応答して前記トークンを更新することを自動的に試みることと、
前記トークンの期限が切れ、前記第３の通信セッションがもはやアクティブではなくなっている場合、前記トークンは期限が切れたままであり、前記媒体デバイスは、そのトークンを、前記コンテンツサーバからコンテンツを取得するために将来の通信セッション中に用いることができず、前記トークンへのアクセスは、前記モバイルデバイスがオフラインである場合、自動的に終了され、該終了することは、前記媒体デバイスが、前記モバイルデバイスがもはや前記媒体デバイスの前記所定の範囲内において検出されない場合、または、前記モバイルデバイスと前記媒体デバイスとの間の接続が終了された場合、前記トークンへのアクセスを自動的に終了することを含むことと、
前記媒体デバイスが、前記トークンを更新することの試みを何回か失敗した後、前記第３の通信セッションを自動的に終了することと、を行う動作を実施させる命令を記憶するメモリと、を備える、システム。
【請求項１１】
前記動作は、
前記媒体デバイスが、前記トークンの前記期限切れに応答して前記第３の通信セッションを終了することをさらに含む、請求項１０に記載のシステム。
【請求項１２】
媒体デバイスとして構成されているコンピューティングデバイスのプロセッサによって実行されるとき、前記コンピューティングデバイスに、
前記媒体デバイスが、前記媒体デバイスの所定の範囲内において検出されるモバイルデバイスと第１の通信セッションを行うことであって、前記第１の通信セッションは、
前記媒体デバイスが、前記モバイルデバイスに承認コードを要求することであって、前記承認コードは、ユーザ有効性確認プロセスにおいて前記モバイルデバイスのユーザ証明に基づいて、プロバイダ承認サービスによって前記モバイルデバイスに対して提供される、要求することと、
前記媒体デバイスが、前記モバイルデバイスから前記承認コードを受信することとを含む、第１の通信セッションを行うことと、
前記媒体デバイスが、コンテンツサーバのプロバイダ承認サービスと第２の通信セッションを開始することであって、前記第２の通信セッションは、前記媒体デバイスが、前記承認コードを用いて前記プロバイダ承認サービスからトークンを取得することを含み、前記コンテンツサーバは、映像コンテンツ及び音声コンテンツのうちの少なくとも一方を含むコンテンツのサービスを提供するように構成され、前記媒体デバイスは、提供されるサービスに係る前記コンテンツを利用するように構成され、前記モバイルデバイスと前記媒体デバイスとは、通信ネットワークにおけるエンドユーザデバイスである、第２の通信セッションを開始することと、
前記媒体デバイスが、前記コンテンツサーバと第３の通信セッションを開始することであって、前記第３の通信セッションは、前記トークンを利用して、前記媒体デバイスが、前記コンテンツサーバからコンテンツを取得することを含む、第３の通信セッションを開始することと、
前記媒体デバイスが、前記第３の通信セッションがアクティブである間に前記トークンの期限が切れた場合に、前記トークンの期限切れに応答して前記トークンを更新することを試みることと、
前記トークンの期限が切れ、前記第３の通信セッションがもはやアクティブではなくなっている場合、前記トークンは期限が切れたままであり、前記媒体デバイスは、そのトークンを、前記コンテンツサーバからコンテンツを取得するために将来の通信セッション中に用いることができず、前記トークンへのアクセスは、前記モバイルデバイスがオフラインである場合、自動的に終了され、該終了することは、前記媒体デバイスが、前記モバイルデバイスがもはや前記媒体デバイスの前記所定の範囲内において検出されない場合、または、前記モバイルデバイスと前記媒体デバイスとの間の接続が終了された場合、前記トークンへのアクセスを自動的に終了することを含むことと、
前記媒体デバイスが、前記トークンを更新することの試みを何回か失敗した後、前記第３の通信セッションを自動的に終了することと、を行わせる命令を含む、非一時的コンピュータ可読媒体。
【請求項１３】
前記命令はさらに、前記コンピューティングデバイスに、
所定の時間量の後、前記第３の通信セッションを終了させる、請求項１２に記載の非一時的コンピュータ可読媒体。
【請求項１４】
前記命令はさらに、前記コンピューティングデバイスに、
前記コンピューティングデバイスが前記モバイルデバイスから前記第３の通信セッションを終了する特定の要求を受信した後、前記第３の通信セッションを終了させる、請求項１２または１３に記載の非一時的コンピュータ可読媒体。